(57)【要約】【課題】  液晶バリアを改善し、製造工程を単純化し、薄型化に有利で、イメージ形成面とイメージ分離面の間の距離を縮めて観察距離を縮小させることができる、新規かつ改良された電子映像機器を提供すること。【解決手段】  映像を表示する表示部と、表示部の前方に位置する光制御部と、を含み、光制御部は、互いに対向配置される第１共通電極及び第２共通電極と、第１共通電極と第２共通電極との間に位置する液晶層と、を備え、電気信号として偏光方向を制御する偏光スイッチと、光制御部の第１方向に沿って互いに距離をおいて位置する偏光部と、第１方向に沿って偏光部の間に位置する非偏光部と、を備え、偏光スイッチと共に光透過を制御するパターン偏光板と；を含むことを特徴とする、電子映像機器が提供される。【選択図】図１
2008268848.tif 000002
【特許請求の範囲】
【請求項１】
映像を表示する表示部と；
前記表示部の前方に位置する光制御部と；
を含み、
前記光制御部は、
互いに対向配置される第１共通電極及び第２共通電極と、前記第１共通電極と前記第２共通電極との間に位置する液晶層と、を備え、電気信号として偏光方向を制御する偏光スイッチと；
前記光制御部の第１方向に沿って互いに距離をおいて位置する偏光部と、前記第１方向に沿って前記偏光部の間に位置する非偏光部と、を備え、前記偏光スイッチと共に光透過を制御するパターン偏光板と；
を含むことを特徴とする、電子映像機器。
【請求項２】
前記表示部は液晶表示パネルから成り、偏光軸が互いに直交する第１偏光板と第２偏光板とを含むことを特徴とする、請求項１に記載の電子映像機器。
【請求項３】
前記第２偏光板は、第１偏光軸を備え、前記偏光スイッチは、オフの状態で光を透過する第２偏光軸とオンの状態で光を透過する第３偏光軸とを備え、前記偏光部は、第４偏光軸を備えることを特徴とする、請求項２に記載の電子映像機器。
【請求項４】
前記第２偏光軸は、前記第１偏光軸と直交する第１位置と、前記第１偏光軸と一致する第２位置とのうちの何れか一つの位置に固定されることを特徴とする、請求項３に記載の電子映像機器。
【請求項５】
前記第４偏光軸は前記第２偏光軸と一致し、前記光制御部は前記偏光スイッチがオフの状態で前面透過型に成ることを特徴とする、請求項３に記載の電子映像機器。
【請求項６】
前記第４偏光軸は前記第２偏光軸と直交し、前記光制御部は前記偏光スイッチがオフの状態で部分透過型に成ることを特徴とする、請求項３に記載の電子映像機器。
【請求項７】
前記表示部は有機発光表示パネル、陰極線管、プラズマ表示パネル及び電界放出表示パネルのうちの何れか一つから成り、前記光制御部が前記表示部前方に位置する第３偏光板を含むことを特徴とする、請求項１に記載の電子映像機器。
【請求項８】
前記第３偏光板は第５偏光軸を具備し、前記偏光スイッチは、オフの状態で光を透過する第２偏光軸とオンの状態で光を透過する第３偏光軸とを備え、前記偏光部は第４偏光軸を備えることを特徴とする、請求項７に記載の電子映像機器。
【請求項９】
前記第２偏光軸は、前記第５偏光軸と直交する第１位置と、前記第５偏光軸と一致する第２位置とのうちの何れか一つの位置に固定されることを特徴とする、請求項８に記載の電子映像機器。
【請求項１０】
前記第４偏光軸は前記第２偏光軸と一致し、前記光制御部は前記偏光スイッチがオフの状態で前面透過型に成ることを特徴とする、請求項８に記載の電子映像機器。
【請求項１１】
前記第４偏光軸は前記第２偏光軸と直交し、前記光制御部は前記偏光スイッチがオフの状態で部分透過型に成ることを特徴とする、請求項６に記載の電子映像機器。
【請求項１２】
前記偏光スイッチは、前記第１共通電極が位置する第１基板と、前記第２共通電極が位置する第２基板とを含み、前記第１基板及び前記第２基板は、薄膜フィルムから成ることを特徴とする、請求項１に記載の電子映像機器。
【請求項１３】
前記偏光スイッチは、前記表示部と前記パターン偏光板との間に位置することを特徴とする、請求項１に記載の電子映像機器。
【請求項１４】
前記パターン偏光板は、前記表示部と前記偏光スイッチとの間に位置することを特徴とする、請求項１に記載の電子映像機器。
【請求項１５】
前記偏光部と前記非偏光部との中心が前記第１方向と直交する第２方向に沿ってジグザグ状に配列されることを特徴とする、請求項１に記載の電子映像機器。
【請求項１６】
前面基板及び後面基板と、前記前面基板と前記後面基板との間に位置する液晶層と、前記後面基板の内面に位置する画素電極と、前記前面基板の内面に位置する共通電極及びカラーフィルターと、前記後面基板の外側に位置する第１偏光板と、前記前面基板の外側に位置する第２偏光板と、前記第１偏光板の後方に位置する光源と、を含む表示部と；
前記第１偏光板と前記後面基板との間に位置する光制御部と；
を含み、
前記光制御部は、
互いに対向配置される第１共通電極及び第２共通電極と、前記第１共通電極と前記第２共通電極との間に位置する液晶層と、を備え、電気信号として偏光方向を制御する偏光スイッチと；
前記光制御部の第１方向に沿って互いに距離をおいて位置する偏光部と、前記第１方向に沿って前記偏光部の間に位置する非偏光部と、を備え、前記偏光スイッチと共に光透過を制御するパターン偏光板と；
を含むことを特徴とする、電子映像機器。
【請求項１７】
前記第１偏光板は第６偏光軸を備え、前記偏光スイッチは、オフの状態で光を透過する第２偏光軸とオンの状態で光を透過する第３偏光軸とを備え、前記偏光部は第４偏光軸を備えることを特徴とする、請求項１６に記載の電子映像機器。
【請求項１８】
前記第２偏光軸は、前記第６偏光軸と直交する第１位置と、前記第６偏光軸と一致する第２位置とのうちの何れか一つの位置に固定されることを特徴とする、請求項１７に記載の電子映像機器。
【請求項１９】
前記第４偏光軸は前記第２偏光軸と一致し、前記光制御部は、前記偏光スイッチがオフの状態で前面透過型に成ることを特徴とする、請求項１７に記載の電子映像機器。
【請求項２０】
前記第４偏光軸は前記第２偏光軸と直交し、前記光制御部は、前記偏光スイッチがオフの状態で部分透過型に成ることを特徴とする、請求項１７に記載の電子映像機器。
【請求項２１】
前記偏光スイッチは、前記第１共通電極が位置する第１基板と、前記第２共通電極が位置する第２基板とを含み、前記第１基板及び前記第２基板は薄膜フィルムから成ることを特徴とする、請求項１６〜２０に記載の電子映像機器。
【請求項２２】
前記偏光部と前記非偏光部との中心が、前記第１方向と直交する第２方向に沿ってジグザグ状に配列されることを特徴とする、請求項１６〜２１に記載の電子映像機器。
【発明の詳細な説明】
【技術分野】
【０００１】
本発明は、電子映像機器に関し、より詳細には、２次元平面映像と３次元立体映像を選択的に実現できる電子映像機器に関するものである。
【背景技術】
【０００２】
一般に立体映像表示装置は、観察者の左眼と右眼に互いに異なる映像を提供して、観察者が表示装置の映像を立体的に感じるようにする装置である。立体映像表示装置のうち、観察者が偏光眼鏡のような装備を着用せずとも立体映像を視聴できるオートステレオスコーピック装置が公知になっている。
【０００３】
通常のオートステレオスコーピック装置はレンティキュラレンズやパララックスバリアのような光分離素子を表示部の前方に配置して、表示部で実現された左眼映像と右眼映像をそれぞれ観察者の左眼方向と右眼方向に分離させる方式を採択している。ところで、このような光分離素子を備えるオートステレオスコーピック装置は立体映像だけを表示できる。
【０００４】
従って、最近になって２次元映像と３次元立体映像とを選択的に実現できるように、液晶表示パネルを応用した液晶バリアが開発されて使用されている。液晶バリアは一対の基板内部に液晶層と電極を具備し、各基板の外側に偏光板を配置している。液晶バリアは、前面透過型に成る２次元モードと、光学的にパララックスバリア状態に成る３次元モードとを選択的に実現する。
【発明の開示】
【発明が解決しようとする課題】
【０００５】
ところで、従来の液晶バリアは電極をパララックスバリア形態にパターニングしなければならないので製造工程が複雑で、２枚のガラス基板を使用するために薄型化に不利となる短所がある。また、左眼映像と右眼映像が両眼距離（観察者の左眼と右眼の間の距離）くらい分離されて観察者が立体映像を認識できる観察距離（電子映像機器と観察者の間の距離）が比較的大きく、移動しながら使用するためのモバイル機器への適用には困難である。
【０００６】
観察距離は、表示部のイメージ形成面と液晶バリアのイメージ分離面との間の距離に比例する。液晶バリアのイメージ分離面は通常液晶層を基準にして設定される。観察距離を縮めるためにはイメージ形成面とイメージ分離面の間の距離を縮めなければならないが、従来の液晶バリアではガラス基板と偏光板の厚さによって観察距離を縮小させることに限界があった。
【０００７】
そこで、本発明は、上記問題に鑑みてなされたものであり、本発明の目的とするところは、液晶バリアを改善して、製造工程を単純化し、薄型化に有利で、イメージ形成面とイメージ分離面の間の距離を縮めて観察距離を縮小させることができる、新規かつ改良された電子映像機器を提供することにある。
【課題を解決するための手段】
【０００８】
上記課題を解決するために、本発明のある観点によれば、映像を表示する表示部と；表示部の前方に位置する光制御部と；を含み、光制御部は、互いに対向配置される第１共通電極及び第２共通電極と、第１共通電極と第２共通電極との間に位置する液晶層と、を備え、電気信号として偏光方向を制御する偏光スイッチと；光制御部の第１方向に沿って互いに距離をおいて位置する偏光部と、第１方向に沿って偏光部の間に位置する非偏光部と、を備え、偏光スイッチと共に光透過を制御するパターン偏光板と；を含むことを特徴とする、電子映像機器が提供される。
【０００９】
かかる構成によれば、第１共通電極及び第２共通電極は互いに対向配置され、液晶層は第１共通電極と第２共通電極との間に位置する。偏光スイッチは電気信号として偏光方向を制御し、偏光部は光制御部の第１方向に沿って互いに距離をおいて位置し、非偏光部は第１方向に沿って偏光部の間に位置する。そして、パターン偏光板は偏光スイッチと共に光透過を制御する。その結果、偏光スイッチに第１共通電極と第２共通電極を用いることによって電極パターニング工程を省略できて、製造工程を単純化することができる。また、イメージ形成面とイメージ分離面の間の距離を縮めて観察距離を縮小させることができる。
【００１０】
上記表示部は液晶表示パネルから成り、偏光軸が互いに直交する第１偏光板と第２偏光板とを含んでいてもよい。
【００１１】
第２偏光板は、第１偏光軸を備え、偏光スイッチは、オフの状態で光を透過する第２偏光軸とオンの状態で光を透過する第３偏光軸とを備え、偏光部は、第４偏光軸を備えていてもよい。
【００１２】
第２偏光軸は、第１偏光軸と直交する第１位置と、第１偏光軸と一致する第２位置とのうちの何れか一つの位置に固定されていてもよい。
【００１３】
第４偏光軸は第２偏光軸と一致し、光制御部は偏光スイッチがオフの状態で前面透過型に成っていてもよい。
【００１４】
第４偏光軸は第２偏光軸と直交し、光制御部は偏光スイッチがオフの状態で部分透過型に成っていてもよい。
【００１５】
偏光スイッチは、第１共通電極が位置する第１基板と、第２共通電極が位置する第２基板とを含んでいてもよく、第１基板及び第２基板は、薄膜フィルムから成っていてもよい。
【００１６】
偏光スイッチは、表示部とパターン偏光板との間に位置していてもよい。
【００１７】
パターン偏光板は、表示部と偏光スイッチとの間に位置していてもよい。
【００１８】
偏光部と非偏光部との中心が第１方向と直交する第２方向に沿ってジグザグ状に配列されていてもよい。
【００１９】
表示部は、有機発光表示パネル、陰極線管、プラズマ表示パネル及び電界放出表示パネルのうちの何れか一つから成り、光制御部は、表示部の前方に位置する第３偏光板を含んでいてもよい。
【００２０】
第３偏光板は第５偏光軸を具備し、偏光スイッチは、オフの状態で光を透過する第２偏光軸とオンの状態で光を透過する第３偏光軸とを備え、偏光部は第４偏光軸を備えていてもよい。
【００２１】
第２偏光軸は、第５偏光軸と直交する第１位置と、第５偏光軸と一致する第２位置とのうちの何れか一つの位置に固定されていてもよい。
【００２２】
第４偏光軸は第２偏光軸と一致し、光制御部は偏光スイッチがオフの状態で前面透過型に成っていてもよい。
【００２３】
第４偏光軸は第２偏光軸と直交し、光制御部は偏光スイッチがオフの状態で部分透過型に成っていてもよい。
【００２４】
偏光スイッチは、第１共通電極が位置する第１基板と、第２共通電極が位置する第２基板とを含んでいてもよく、第１基板及び第２基板は、薄膜フィルムから成っていてもよい。
【００２５】
偏光スイッチは、表示部とパターン偏光板との間に位置していてもよい。
【００２６】
パターン偏光板は、表示部と偏光スイッチとの間に位置していてもよい。
【００２７】
偏光部と非偏光部との中心が第１方向と直交する第２方向に沿ってジグザグ状に配列されていてもよい。
【００２８】
また、上記課題を解決するために、本発明の別の観点によれば、前面基板及び後面基板と、前面基板と後面基板との間に位置する液晶層と、後面基板の内面に位置する画素電極と、前面基板の内面に位置する共通電極及びカラーフィルターと、後面基板の外側に位置する第１偏光板と、前面基板の外側に位置する第２偏光板と、第１偏光板の後方に位置する光源と、を含む表示部と；第１偏光板と後面基板との間に位置する光制御部と；を含み、光制御部は、互いに対向配置される第１共通電極及び第２共通電極と、第１共通電極と第２共通電極との間に位置する液晶層と、を備え、電気信号として偏光方向を制御する偏光スイッチと；光制御部の第１方向に沿って互いに距離をおいて位置する偏光部と、第１方向に沿って偏光部の間に位置する非偏光部と、を備え、偏光スイッチと共に光透過を制御するパターン偏光板と；を含むことを特徴とする、電子映像機器が提供される。
【００２９】
かかる構成によれば、第１共通電極及び第２共通電極は互いに対向配置され、液晶層は第１共通電極と第２共通電極との間に位置する。偏光スイッチは電気信号として偏光方向を制御し、偏光部は光制御部の第１方向に沿って互いに距離をおいて位置し、非偏光部は第１方向に沿って偏光部の間に位置する。そして、パターン偏光板は偏光スイッチと共に光透過を制御する。その結果、偏光スイッチに第１共通電極と第２共通電極を用いることによって電極パターニング工程を省略できて、製造工程を単純化することができる。また、イメージ形成面とイメージ分離面の間の距離を縮めて観察距離を縮小させることができる。
【００３０】
第１偏光板は第６偏光軸を備え、偏光スイッチは、オフの状態で光を透過する第２偏光軸とオンの状態で光を透過する第３偏光軸とを備え、偏光部は第４偏光軸を備えていてもよい。
【００３１】
第２偏光軸は、第６偏光軸と直交する第１位置と、第６偏光軸と一致する第２位置とのうちの何れか一つの位置に固定されていてもよい。
【００３２】
第４偏光軸は第２偏光軸と一致し、光制御部は、偏光スイッチがオフの状態で前面透過型に成っていてもよい。
【００３３】
第４偏光軸は第２偏光軸と直交し、光制御部は、偏光スイッチがオフの状態で部分透過型に成っていてもよい。
【００３４】
偏光スイッチは、第１共通電極が位置する第１基板と、第２共通電極が位置する第２基板とを含んでいてもよく、第１基板及び第２基板は薄膜フィルムから成っていてもよい。
【００３５】
偏光部と非偏光部との中心が、第１方向と直交する第２方向に沿ってジグザグ状に配列されていてもよい。
【発明の効果】
【００３６】
以上説明したように本発明によれば、偏光スイッチに第１共通電極と第２共通電極を用いることによって電極パターニング工程を省略できて、製造工程を単純化することができる。そして偏光スイッチの第１基板及び第２基板に薄膜フィルムを用いることができて、電子映像機器の薄型化に有利となる。また、表示部のイメージ形成面と光制御部のイメージ分離面の間の距離を短縮させることによって、モバイル機器に適した観察距離を実現できる。
【発明を実施するための最良の形態】
【００３７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３８】
（第１の実施形態）
図１は、本発明の第１の実施形態にかかる電子映像機器１００の分解斜視図である。
【００３９】
図１を参照すれば、本発明の第１の実施形態にかかる電子映像機器１００は、映像を表示する表示部１０と、表示部１０の前方（図１のｚ軸方向）に位置する光制御部１２とを含む。表示部１０は赤色と緑色及び青色の副画素から成る画素を複数組備えて、カラー映像を表示する。
【００４０】
表示部１０は、２次元映像信号が印加されて、２次元映像を表示できる。他方、表示部１０は画素別又は副画素別に左眼映像信号と右眼映像信号が印加されて、左眼映像と右眼映像を分けて表示できる。このような映像信号制御は、図示しない映像信号制御部を通じて実行される。
【００４１】
本実施形態では、表示部１０は液晶表示パネルから成る。図２に液晶表示パネルの断面を示す。
【００４２】
図１及び図２を参照すれば、液晶表示パネル１４は互いに対向配置される前面基板１６及び後面基板１８と、前面基板１６と後面基板１８との間に位置する液晶層２０と、後面基板１８の内面に位置する画素電極２２及び画素電極２２の駆動を制御する薄膜トランジスタ２４と、前面基板１６の内面に位置する共通電極２６及び色表示のためのカラーフィルター２８と、後面基板１８の外側に位置する第１偏光板３０と、前面基板１６の外側に位置する第２偏光板３２と、第１偏光板３０外側に位置する光源３４を含む。
【００４３】
第１偏光板３０及び第２偏光板３２は偏光軸が互いに直交するように配置され、２つの偏光板３０、３２の偏光軸は画面の水平方向（図面のｘ軸方向）と垂直方向（図面のｙ軸方向）のうちの何れか一つの方向と一致する。例えば、第１偏光板３０の偏光軸が画面の垂直方向と一致する場合、第２偏光板３２はその偏光軸が画面の水平方向と一致するように配置される。
【００４４】
光源３４から放出された光は第１偏光板３０を経ながら線状偏光されて、線状偏光された光が液晶層２０に提供される。画素電極２２と共通電極２６に所定の駆動電圧を印加すれば、２つの電極２２、２６の電圧差によって、液晶層２０に電場が形成され、電場によって、液晶分子の配列状態が変化する。従って液晶層２０に入射した光は回転した液晶分子によって、円偏光又は楕円偏光されて、偏光の程度により第２偏光板３２を透過する光の量が調節されて、画素別の光透過量を制御できる。
【００４５】
このように表示部１０が液晶表示パネル１４から成る場合、光制御部１２は第２偏光板３２によって線状偏光された光が提供される。光制御部１２は提供された光の偏光特性と自らの偏光機能を用いて、前面透過型に成る２次元モードと、光学的にパララックスバリア状態に成る３次元モードを選択的に実現する。
【００４６】
図３は、図１に示した電子映像機器１００のうち光制御部１２の部分断面図である。
【００４７】
図１及び図３を参照すれば、光制御部１２は液晶層３６と一対の共通電極３８、４０を用いて、電気的信号として偏光方向を制御する偏光スイッチ４２と、画面の水平方向（図面のｘ軸方向）に沿って交互に反復配置される偏光部４４と非偏光部４６を備えるパターン偏光板４８を含む。
【００４８】
偏光スイッチ４２は第１基板５０及び第２基板５２と、第１基板５０と第２基板５２の間に位置する液晶層３６と、第１基板５０の内面に位置する第１共通電極３８と、第２基板５２の内面に位置する第２共通電極４０と、第１共通電極３８と第２共通電極４０を覆う一対の配向膜５４を含む。第１基板５０と第２基板５２は薄膜フィルムから成ることができる。第１共通電極３８は第１基板５０の有効面全体に形成され、第２共通電極４０は第２基板５２の有効面全体に形成される。
【００４９】
パターン偏光板４８で偏光部４４と非偏光部４６は画面の垂直方向（図面のｙ軸方向）に沿って長い帯状形態に構成される。偏光部４４は画面の水平方向又は垂直方向と並んだ偏光軸を有し、非偏光部４６は偏光機能を有さず、入射光をそのまま透過させる。
【００５０】
パターン偏光板４８は、偏光スイッチ４２の前方又は後方に位置できる。図１と図３では例えばパターン偏光板４８が偏光スイッチ４２の前方（図面のｚ軸方向）に位置する場合を示した。また、図１と図３では偏光部４４と非偏光部４６が同じ幅で形成された場合を示したが、偏光部４４の幅を非偏光部４６の幅より広い幅に形成してもよい。
【００５１】
図４および図５は、図１に示した電子映像機器１００のうち表示部の第２偏光板３２と光制御部１２を概略的に示す分解斜視図である。
【００５２】
図４に示したように、第２偏光板３２は第１偏光軸（Ａ１）を有する。偏光スイッチ４２はオフ状態で光を透過する第２偏光軸（Ａ２）と、オン状態で光を透過する第３偏光軸（Ａ３）を有する。そしてパターン偏光板４８の偏光部４４は第４偏光軸（Ａ４）を有する。
【００５３】
第１〜第４偏光軸（Ａ１、Ａ２、Ａ３、Ａ４）は、画面の水平方向（図面のｘ軸方向）と垂直方向（図面のｙ軸方向）のうちの何れか一つの方向と一致する。偏光スイッチ４２のオン状態は、第１共通電極３８と第２共通電極４０とに臨界値以上のレベル差を有する駆動電圧を印加した状態を意味する。
【００５４】
偏光スイッチ４２は、オン又はオフの状態で９０°もつれ角を有する液晶を用いることができ、第２偏光軸（Ａ２）が第１偏光軸（Ａ１）と直交したり、一致したりするように配置できる。第２偏光軸（Ａ２）が第１偏光軸（Ａ１）と直交する場合、偏光スイッチ４２はオフの状態で入射光を９０°線状偏光させ、オンの状態で入射光をそのまま透過させる。第２偏光軸（Ａ２）が第１偏光軸（Ａ１）と一致する場合、偏光スイッチ４２はオフの状態で入射光をそのまま透過させて、オンの状態で入射光を９０°線状偏光させる。
【００５５】
図４では、第１偏光軸（Ａ１）が画面の水平方向（図面のｘ軸方向）と一致して、偏光スイッチ４２の第２偏光軸（Ａ２）が第１偏光軸（Ａ１）と直交（図面のｙ軸方向）する場合を示している。
【００５６】
前述した構造で、第４偏光軸（Ａ４）は第２偏光軸（Ａ２）と方向が一致できる。この場合、第２偏光軸（Ａ２）方向に沿って線状偏光された光はパターン偏光板４８全体を透過し、第３偏光軸（Ａ３）方向に沿って線状偏光された光は偏光部４４によって遮断される。従って光制御部１２は偏光スイッチ４２オフの状態で前面透過型に成り、偏光スイッチ４２オンの状態では非偏光部４６を通じるだけで光が透過する部分透過型に成る。
【００５７】
一方、図５に示したように、第４偏光軸（Ａ４）は第２偏光軸（Ａ２）と直交できる。この場合、第２偏光軸（Ａ２）方向に沿って線状偏光された光は偏光部４４によって遮断されて、第３偏光軸（Ａ３）方向に沿って線状偏光された光はパターン偏光板４８全体を透過する。従って光制御部１２は偏光スイッチ４２オフの状態で部分透過型に成り、偏光スイッチ４２オンの状態で前面透過型に成る。
【００５８】
電子映像機器１００の動作モードが、２次元映像モードがメインモードである場合には図４に示すように偏光スイッチ４２オフの状態で光制御部１２が前面透過型に成るようにすることで消費電力を減らせる。反対に立体映像モードがメインモードである場合には図５に示すように偏光スイッチ４２オフの状態で光制御部１２が部分透過型に成るようにすることで消費電力を減らせる。
【００５９】
表示部１０が２次元映像を表示する時、光制御部１２は前面透過型に成り、表示部１０が画素別又は副画素別に左眼映像と右眼映像を分けて表示する時、光制御部１２は部分透過型に成って左眼映像と右眼映像を分離させる。
【００６０】
図６は、図１に示した電子映像機器１００の立体映像モードを示す部分断面図である。
【００６１】
図６を参照すれば、表示部１０は画素別又は副画素別に左眼映像信号と右眼映像信号が印加されて、左眼映像と右眼映像を分けて表示する。図６では副画素別に左眼映像と右眼映像を分けて表示する場合を示した。図６では、Ｒｒ、Ｒｇ、Ｒｂがそれぞれ右眼映像を表示する赤色、緑色及び青色の副画素を示して、Ｌｒ、Ｌｇ、Ｌｂがそれぞれ左眼映像を表示する赤色、緑色及び青色の副画素を示す。
【００６２】
光制御部１２は、偏光スイッチ４２とパターン偏光板４８との組み合わせを通して、偏光部４４が位置する領域を光遮断部として形成し、非偏光部４６が位置する領域を光透過部として形成する。従って、表示部１０で具現された左眼映像と右眼映像は光制御部１２を経ながらそれぞれ観察者の左眼方向と右眼方向に分離されるので、電子映像機器１００を観察する観察者は表示部１０の映像を立体に感じるようになる。
【００６３】
本実施形態の電子映像機器１００は第１共通電極３８と第２共通電極４０を用いることによって従来の液晶バリアとは違って電極パターニング工程を省略できるので製造工程を単純化することができる。そして第１基板５０と第２基板５２としてガラス基板より薄い薄膜フィルムを使えるので電子映像機器１００の薄型化に有利である。
【００６４】
また、薄膜化した第１基板５０の厚さが減少した分だけ表示部１０のイメージ形成面と光制御部１２のイメージ分離面の間の距離を縮めることができるので、観察距離を縮めることができる。図６ではイメージ形成面とイメージ分離面の間の距離をＲ１で表記した。イメージ形成面は液晶表示パネル１４で液晶層２０の中央位置に仮定できて、イメージ分離面はパターン偏光板４８の中央位置に仮定できる。
【００６５】
一方、図７に示すように光制御部１２は偏光スイッチ４２とパターン偏光板４８の位置を変えて、パターン偏光板４８が表示部１０と偏光スイッチ４２との間に位置するようにできる。この場合には図６に示した光制御部１２構成よりイメージ形成面とイメージ分離面の間の距離を更に縮めることができるので、観察距離をより効果的に縮めることができる。図７でイメージ形成面とイメージ分離面の間の距離をＲ２に表記した。
【００６６】
（第２の実施形態）
図８は、本発明の第２実施形態による電子映像機器１０２の分解斜視図である。
【００６７】
図８を参照すれば、本実施形態の電子映像機器１０２は、表示部１０１が偏光板を備えずに映像を表示する表示装置から成り、光制御部１２２は、偏光スイッチ４２の後方に位置する第３偏光板５６を除くと、前述した第１実施例の光制御部１２と同一の構成である。第１の実施形態と同一部材については同じ引用符号を使用する。
【００６８】
表示部１０１は有機発光表示パネル、陰極線管、プラズマ表示パネル、電界放出表示パネルなど液晶表示パネルと異なり偏光板を備えず映像を表示する表示装置から成る。図８では表示部１０１が平板型である場合を示したが、表示部１０１の形状は平板型に限られない。表示部１０１の適用例を説明するために、図９に有機発光表示パネルの断面を示した。
【００６９】
図９を参照すれば、有機発光表示パネル５８は後面基板６０に位置し、副画素毎に少なくとも２つ提供される薄膜トランジスタ６２と、薄膜トランジスタ６２によって発光が制御される有機発光素子６４と、後面基板６０に接合され、内部に吸湿材を備える前面基板６６と、を含む。有機発光素子６４は、アノード電極６４１、カソード電極６４２、及びアノード電極６４１とカソード電極６４２との間に位置する有機発光層６４３を含む。
【００７０】
アノード電極６４１とカソード電極６４２とが有機発光層６４３にそれぞれ正孔と電子を注入すれば、有機発光層６４３内部に電子と正孔とが結合した励起子が生成される。そして、励起子が励起状態から基底状態に落ちる時に発生するエネルギーによって発光する。
【００７１】
再び図８を参照すれば、第３偏光板５６は画面の水平方向（図面のｘ軸方向）と垂直方向（図面のｙ軸方向）のうち何れか一つの方向と一致する第５偏光軸（Ａ５）を有する。図８では第５偏光軸（Ａ５）が画面の水平方向と一致する場合を示した。
【００７２】
このように表示部１０１が液晶表示パネル以外の表示装置から成る場合、光制御部１２２は入射光を線状偏光させる第３偏光板５６を更に含み、第３偏光板５６と偏光スイッチ４２及びパターン偏光板４８との作用で前面透過型にされたり、部分透過型にされたりして、２次元表示モードと３次元表示モードとを選択的に実現する。
【００７３】
図８では、パターン偏光板４８が偏光スイッチ４２の前方に位置する場合を示したが、その反対の場合も可能である。つまり、パターン偏光板４８は偏光スイッチ４２の後方に位置することもでき、この場合には観察距離の縮小に有利である。
【００７４】
（第３の実施形態）
図１０は、本発明の第３の実施形態による電子映像機器１０４の分解斜視図である。
【００７５】
図１０を参照すれば、本実施例の電子映像機器１０４は偏光スイッチ４２とパターン偏光板４８を含む光制御部１２が液晶表示パネルの第１偏光板３０と後面基板１８の間に位置することを除いて、前述した本発明の第１の実施形態と同一な構成から成る。本発明の第１の実施形態と同一の部材については同じ引用符号を使用する。
【００７６】
光源３４から放出された光は第１偏光板３０を経ながら第１偏光板３０の偏光軸（第６偏光軸（Ａ６））方向に沿って線状偏光されて、線状偏光された光が光制御部１２に提供される。図１０では例えば、第６偏光軸（Ａ６）が画面の水平方向と一致する場合を示した。
【００７７】
光制御部１２は入射光の線状偏光をそのまま維持しながら、偏光スイッチ４２とパターン偏光板４８との作用で入射光を前面透過させたり、部分透過させたりする。光制御部１２を透過した光は液晶層２０と第２偏光板３２の作用で画素別透過率が制御される。
【００７８】
立体映像モードでは、光制御部１２は部分透過型にされ、液晶表示パネルは画素別又は副画素別に左眼映像と右眼映像を分けて表示する。そう表示すれば、左眼映像信号が印加された画素又は副画素は光制御部１２を通じて、観察者の左眼方向に光が提供されて、左眼方向に左眼映像を表示する。そして右眼映像信号が印加された画素又は副画素は光制御部１２を通じて、観察者の右眼方向に光が提供されて、右眼方向に右眼映像を表示する。従って観察者は表示部の映像を立体的に感じるようになる。
【００７９】
図１１はパターン偏光板の第１変形例を示す部分平面図である。
【００８０】
図１１を参照すれば、本変形例でパターン偏光板４８１は画面の水平方向（図面のｘ軸方向）に沿って交互に反復配置されながら、画面の垂直方向（図面のｙ軸方向）に沿ってその中心がジグザグ状で配列される偏光部４４１と非偏光部４６１を含む。偏光部４４１は非偏光部４６１より大きな幅に形成でき、光制御部が３次元表示モードで部分透過型になる時、偏光部４４１と非偏光部４６１はそれぞれ光遮断部と光透過部を形成する。
【００８１】
図１２はパターン偏光板の第２変形例を示す部分平面図である。
【００８２】
図１２を参照すれば、本変形例では、パターン偏光板４８２は画面の水平方向（図面のｘ軸方向）だけでなく画面の垂直方向（図面のｙ軸方向）に沿って交互に反復配置される偏光部４４２と非偏光部４６２とを含む。偏光部４４２と非偏光部４６２とは、同じ幅で形成でき、光制御部が３次元モードで部分透過型になる時、偏光部４４２と非偏光部４６２はそれぞれ光遮断部と光透過部を形成する。
【００８３】
前述した変形例のパターン偏光板４８１、４８２を備える光制御部は、表示部が左眼映像と右眼映像を分けて表示する時、平面映像の解像度と同一な水平解像度に立体映像を実現するようにできる。
【００８４】
図１３は、図１１に示した第１変形例にかかるパターン偏光板を備える電子映像機器において表示部と光制御部を概略的に示す平面図である。
【００８５】
図１３を参照すれば、表示部１０３は奇数行の副画素で右眼映像と左眼映像を交互に表示して、偶数行の副画素で左眼映像と右眼映像を交互に表示できる。図１３では、Ｒｒ、Ｒｇ、Ｒｂがそれぞれ右眼映像を表示する赤色、緑色及び青色副画素を示し、Ｌｒ、Ｌｇ、Ｌｂがそれぞれ左眼映像を表示する赤色、緑色及び青色副画素を示す。
【００８６】
そして光制御部１２３は奇数行の副画素と偶数行の副画素に対応して、画面の水平方向（図面のｘ軸方向）に沿って右眼用副画素と左眼用副画素との間に非偏光部４６１を配置する。
【００８７】
前述した構成の電子映像機器では奇数行に位置する２個の右眼用副画素（図１３で丸１、丸２で表記）と偶数行に位置する１個の右眼用副画素（図１３で丸３で表記）が右眼イメージのあるピクセルを構成して、奇数行に位置する１個の左眼用副画素（図１３で丸４で表記）と偶数行に位置する２個の左眼用副画素（図１３で丸５、丸６で表記）が左眼イメージのあるピクセルを構成できる。
【００８８】
電子映像機器は、前述した画素配列により２次元平面映像と同一な水平解像度を有する立体映像を実現できる。一方、光制御部１２３が図１２に示したパターン偏光板を備える場合にも前述したものと同一な効果を得ることができる。
【００８９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９０】
本発明は、電子映像機器に適用可能であり、特に２次元平面映像と３次元立体映像を選択的に実現できる電子映像機器に適用可能である。
【図面の簡単な説明】
【００９１】
【図１】本発明の第１実施形態による電子映像機器の分解斜視図である。
【図２】図１に示した電子映像機器のうち表示部の部分断面図である。
【図３】図１に示した電子映像機器のうち光制御部の部分断面図である。
【図４】図１に示した電子映像機器のうち表示部の第２偏光板と光制御部を概略的に示す分解斜視図である。
【図５】図１に示した電子映像機器のうち表示部の第２偏光板と光制御部を概略的に示す分解斜視図である。
【図６】図１に示した電子映像機器の立体映像モードを示す部分断面図である。
【図７】図１に示した電子映像機器の立体映像モードを示す部分断面図である。
【図８】本発明の第２実施形態による電子映像機器の分解斜視図である。
【図９】図８に示した電子映像機器のうち表示部の部分断面図である。
【図１０】本発明の第３実施形態による電子映像機器の分解斜視図である。
【図１１】パターン偏光板の第１変形例を示す部分平面図である。
【図１２】パターン偏光板の第２変形例を示す部分平面図である。
【図１３】図１１に示したパターン偏光板を備える電子映像機器において表示部と光制御部を概略的に示す平面図である。
【符号の説明】
【００９２】
１０    表示部
１２    光制御部
１４    液晶表示パネル
１６    前面基板
１８    後面基板
２０    液晶層
２２    画素電極
２４    トランジスタ
２６    共通電極
２８    カラーフィルター
３０    第１偏光板
３２    第２偏光板
３４    光源
１００    電子映像機器
【図１】
2008268848.tif 000003
【図２】
2008268848.tif 000004
【図３】
2008268848.tif 000005
【図４】
2008268848.tif 000006
【図５】
2008268848.tif 000007
【図６】
2008268848.tif 000008
【図７】
2008268848.tif 000009
【図８】
2008268848.tif 000010
【図９】
2008268848.tif 000011
【図１０】
2008268848.tif 000012
【図１１】
2008268848.tif 000013
【図１２】
2008268848.tif 000014
【図１３】
2008268848.tif 000015